【手続補正書】
【提出日】平成24年2月21日(2012.2.21)
【手続補正１】
【補正対象書類名】明細書
【補正対象項目名】００３４
【補正方法】変更
【補正の内容】
【００３４】
無線通信端末４００は、図３に示すように、携帯通信網を利用して無線通信するための第一無線通信インタフェース４１０ａと、無線ＬＡＮを利用して無線通信するための第二無線通信インタフェース４１０ｂと、各種演算処理を実行するＣＰＵ４２０と、このＣＰＵ４２０のワークエリア等になるＲＡＭ４３０と、各種データ等が予め格納されているＲＯＭ４３５と、各種プログラムや各種データ等が格納されているフラッシュＲＯＭ４４０と、マイク４５１と、スピーカ４５２と、入力キー４５３と、ディスプレイ４５４と、マイク４５１、スピーカ４５２、入力キー４５３及びディスプレイ４５４のインタフェース４５０と、を備えている。
【手続補正２】
【補正対象書類名】明細書
【補正対象項目名】００３６
【補正方法】変更
【補正の内容】
【００３６】
また、ＲＡＭ４３０には、カスタマイズ処理プログラム４４９の実行過程で、受信したサービス情報が格納されるサービス情報テーブル４３１と、利用予定のサービス識別情報が格納される利用予定サービスリスト（図示されていない）とが設けられる。
【手続補正３】
【補正対象書類名】明細書
【補正対象項目名】００３７
【補正方法】変更
【補正の内容】
【００３７】
ＣＰＵ４２０は、機能的に、携帯通信網を利用した無線通信を制御する第一通信制御部４２１ａと、無線ＬＡＮを利用した無線通信を制御する第二通信制御部４２１ｂと、フラッシュＲＯＭ４４０に対するデータの入出力を制御する記憶制御部４２２と、ディスプレイ４５４での表示を制御する表示制御部４２３と、入力キー４５３での入力を制御する入出力制御部４２５と、サービス処理部４２８と、カスタマイズ処理部４２９とを有している。これらの機能部のうち、サービス処理部４２８は、フラッシュＲＯＭ４４０に格納されているサービスアプリケーションソフト４４８をＣＰＵ４２０が実行することで機能し、カスタマイズ処理部４２９は、フラッシュＲＯＭ４４０に格納されているカスタマイズ処理プログラム４４９をＣＰＵ４２０が実行することで機能する。
【手続補正４】
【補正対象書類名】明細書
【補正対象項目名】００３９
【補正方法】変更
【補正の内容】
【００３９】
サービス情報テーブル１６０は、サービス提供サーバ１００が提供する各種サービスのサービス提供空間名が格納されている空間名領域１６１と、サービス提供空間の識別子が格納されている空間識別子領域１６１ａと、各サービスのサービス名が格納されるサービス名領域１６２と、各サービスを実行するために必要なアプリケーションソフト名が格納されているアプリケーション名領域１６３と、アプリケーションソフトの識別子が格納されているアプリケーション識別子領域１６３ａと、無線通信端末側での各サービスの実行優先度、言い換えると各アプリケーションソフトの利用優先度が格納されている優先度領域１６４と、各サービスの提供元のＩＰアドレスが格納されているＩＰアドレス領域１６５と、各サービス毎の個別サービス情報の配信周期が格納されている配信周期領域１６６と、個別サービス情報のセキュリティを解除するためのパスワードが格納されているパスワード領域１６７と、各無線基地局３００と各サービスとの対応関係を示す対応関係領域１６８と、を有する。
【手続補正５】
【補正対象書類名】明細書
【補正対象項目名】００４７
【補正方法】変更
【補正の内容】
【００４７】
ＩＰアドレス領域１６５には、サービス「運行案内」「降車案内」「車内エンターテインメント」「運転支援」のサービス提供元のＩＰアドレスとして、当該サービス提供サーバ１００のＩＰアドレスである「xxx.yyy.zzz.263」が格納されている。なお、「マナーモード」のサービスは、いわゆるプッシュ型のサービスで、サービス提供サーバ１００から一方的に無線通信端末４００側へ提供されるサービスであり、無線通信端末４００側に、このサービスの提供元を知らせる必要性がないため、ＩＰアドレス領域１６５中でこのサービスに対応する領域にはＩＰアドレスが格納されていない。また、「運行案内」「降車案内」「車内エンターテインメント」のサービスも基本的にはプッシュ型のサービスであるが、無線通信端末４００側から何らかの要求又はデータを送りたい場合があるので、ＩＰアドレス領域１６５中でこれらのサービスに対応する領域にはＩＰアドレスが格納されている。また、「運転支援」のサービスは、サービス提供元と無線通信端末４００ｍ（図１に示す）との交信を前提としたサービスであるため、ＩＰアドレス領域１６５中でこのサービスに対応する領域にはＩＰアドレスが格納されている。
【手続補正６】
【補正対象書類名】明細書
【補正対象項目名】００５４
【補正方法】変更
【補正の内容】
【００５４】
なお、図４に示すサービス情報テーブル１６０では、サービス「マナーモード」「運行案内」「降車案内」「車内エンターテインメント」に関する各個別サービス情報の配信周期がいずれも「１（秒）」で、サービス「運転支援」に関する個別サービス情報の配信周期が「２（秒）」である。また、先頭の第１車両及び最後尾の第１５車両内の無線基地局３００を除く、第２車両から第１４車両の全ての無線基地局３００に対して、サービス「マナーモード」「運行案内」「降車案内」「車内エンターテインメント」に関する各個別サービス情報を配信することになっており、先頭の第１車両及び最後尾の第１５車両内の無線基地局３００に対して、サービス「マナーモード」「運行案内」「降車案内」「車内エンターテインメント」「運転支援」に関する各個別サービス情報を配信することになっている。
【手続補正７】
【補正対象書類名】明細書
【補正対象項目名】００５９
【補正方法】変更
【補正の内容】
【００５９】
次に、無線通信端末４００ｍとの交信を前提としたサービスである「運転支援」のサービス処理を行うサービスｂ処理部１２６ｂの動作について説明する。
【手続補正８】
【補正対象書類名】明細書
【補正対象項目名】００６０
【補正方法】変更
【補正の内容】
【００６０】
サービスｂ処理部１２６ｂは、補助記憶装置１４０内の「運転支援」のサービスｂデータ１４７ｂが記憶制御部１２２により更新されたか否かを監視しており、更新されるか、無線通信端末４００ｍ側からサービスデータの送信要求があると、補助記憶装置１４０から記憶制御部１２２を介して、サービスｂデータ１４７ｂを取得し、このサービスｂデータ１４７ｂの一部又は全部を含む通信フレームを通信制御部１２１に作成させ、この通信フレームの送信を指示する。また、この通信フレームの送信に対して、無線通信端末４００ｍ側からの何らかの要求又はデータが送られてきた場合、サービスｂ処理部１２６ｂは、通信制御部１２１からこの要求又はデータを受け取り、これに対する応答処理を行い、その結果を通信制御部１２１により無線通信端末４００ｍへ送信させる。
【手続補正９】
【補正対象書類名】明細書
【補正対象項目名】００６２
【補正方法】変更
【補正の内容】
【００６２】
サービス情報の通信フレーム６０は、ＭＡＣヘッダ６１とＭＡＣボディ６３とを有している。ＭＡＣヘッダ６１には宛先アドレス６２等が格納され、ＭＡＣボディ６３にはＩＰパケットが格納される。このＩＰパケットのヘッダ９４には、宛先アドレス６５等が格納され、ペイロード６６には、制御情報６７と、サービス情報７０とが格納される。ＭＡＣヘッダ６１の宛先アドレス６２には、サービス情報を送る無線基地局３００のＭＡＣアドレスが設定され、ＩＰヘッダ６４の宛先アドレス６５には、当該無線基地局３００からの宛先として、全ての無線通信端末４００を宛先とするブロードキャストアドレスが設定される。
【手続補正１０】
【補正対象書類名】明細書
【補正対象項目名】００６３
【補正方法】変更
【補正の内容】
【００６３】
制御情報６７は、タイプ６８とデータ長６９とを有している。タイプ６８には、ペイロード６６内のデータがサービス情報であることを示す「１」が格納される。なお、ペイロード６６内のデータがサービスデータである場合、タイプ６８には「２」が格納される。データ長６９にはサービス情報７０のデータ長が格納される。
【手続補正１１】
【補正対象書類名】明細書
【補正対象項目名】００７５
【補正方法】変更
【補正の内容】
【００７５】
カスタマイズ処理部４２９は、入力キー４５３から、いずれかのモードの設定を受け付けると（Ｓ２２）、フラッシュＲＯＭ４４０中のカスタマイズモード記憶領域４４５に、受け付けたモードを設定する。なお、このカスタマイズモード記憶領域４４５には、図５に示すように、優先表示モードの際には「０」が設定され、自動起動モードの際には「１」が設定される。
【手続補正１２】
【補正対象書類名】明細書
【補正対象項目名】００８１
【補正方法】変更
【補正の内容】
【００８１】
サービス情報テーブル４３１は、図５に示すように、サービス情報に含まれている個別サービス情報中のサービスの提供空間名７１（図６）及びこの空間の識別子７２が格納される空間識別情報領域４３１ｂと、この個別サービス情報中のアプリケーション名７３及びアプリケーション識別子７４が格納されるアプリケーション識別情報領域４３１ｃと、この個別サービス情報中の優先度７５が格納される優先度領域４３１ａと、この個別サービス情報中のＩＰアドレス７６が格納されるＩＰアドレス領域４３１ｄと、この個別サービス情報中の制限フラグ領域７７の値（０（制限無し）or１（制限有り））が格納される制限フラグ領域４３１ｅと、この個別サービス情報中のパスワード７８が格納されるパスワード４３１ｆと、当該個別サービス情報の表示の有無を示す表示有無フラグ領域４３１ｇと、を有している。表示有無フラグ領域４３１ｇには、当該個別サービス情報が表示されると「１」が格納されるが、この段階では、表示していない旨を示す「０」が格納される。なお、図５に示すサービス情報テーブル４３１は、先頭車両に居る者が所有している無線通信端末４００が受信したサービス情報に関するテーブルである。
【手続補正１３】
【補正対象書類名】明細書
【補正対象項目名】００８６
【補正方法】変更
【補正の内容】
【００８６】
カスタマイズ処理部４２９は、第二通信制御部４２１ｂが登録無線基地局ＩＤを含むビーコンを受信すれば、カスタマイズ制限時間タイマーをリセットしてから（Ｓ４２）、ステップ４１に戻る。また、第二通信制御部４２１ｂが登録無線基地局ＩＤを含むビーコンを受信しなければ、カスタマイズ制限時間タイマーがタイムオーバーを示しているか否かを判断する（Ｓ４３）。そして、カスタマイズ処理部４２９は、タイムオーバーを示していなければ、ステップ４１に戻り、タイムオーバーを示していれば、ステップ３２でＲＡＭ４３０に設けたサービス情報テーブル４３１及びこのサービス情報テーブル４３１に関連付けられている基地局ＩＤを消去して、カスタマイズ処理を終了する（Ｓ４４）。
【手続補正１４】
【補正対象書類名】明細書
【補正対象項目名】０１０４
【補正方法】変更
【補正の内容】
【０１０４】
また、仮に、図１７に示すアプリケーション動作画面４６０の表示中に、アプリメニューボタン４６８が押された場合（Ｓ５４で「アプリメニュー」を受付）には、サービス情報テーブル４３１（図５）中の表示有無フラグ領域４３１ｇ内で、アプリケーション名「マナーモード」「運行案内」「降車通知」の領域には「１（表示済み）」が格納されているので、カスタマイズ処理部４２９は、アプリケーション識別情報領域４３１ｃから、制限されておらず且つ最上位優先度である優先度「Ｂ」のアプリケーション名「車内エンターテインメント」を抽出して、図１７に示すように、これらアプリケーション名「車内エンターテインメント」４７１ｂを示す機能選択画面４７０ｂをディスプレイ４５４に表示させる。この機能選択画面４７０ｂには、アプリケーション名４７１ｂ、前述のチェックボックス４７２、実行ボタン４７５、アプリメニューボタン４７８の他、一括登録ボタン４７６、戻りボタン４７７が表示される。
【手続補正１５】
【補正対象書類名】明細書
【補正対象項目名】０１０５
【補正方法】変更
【補正の内容】
【０１０５】
一括登録ボタン４７６は、機能選択画面４７０ｂで示されている全てのアプリケーション名のアプリケーションを個別自動起動の対象として登録する際に使用され、戻りボタン４７７は、表示画面を前表示画面に戻らせる際に使用される。なお、優先度「Ａ」のアプリケーション名を示す機能選択画面４７０ａ中に、一括登録ボタン４７６が表示されていないのは、この機能選択画面４７０ａで示されている全てのアプリケーション名のアプリケーションが既に自動起動の対象になっているからである。また、この機能選択画面４７０ａ中に戻りボタン４７７が表示されていないのは、この機能選択画面４７０ａがカスタマイズ処理を開始してからの最初の表示画面で、前表示画面が存在しないからである。
【手続補正１６】
【補正対象書類名】明細書
【補正対象項目名】０１０９
【補正方法】変更
【補正の内容】
【０１０９】
ステップ５６で、実行を受け付けた場合、つまり、以上の機能選択画面で、いずれかのアプリケーション名の前のチェックボタン４７２が選択された上で、実行ボタン４７５が押された場合、カスタマイズ処理部４２９は、実行指示されたアプリケーションがフラッシュＲＯＭ４３０に格納されているか否かを判断する（Ｓ５７）。アプリケーションが格納されていない場合、機能選択画面の表示を維持して、ステップ５６に戻る。また、アプリケーションが格納されている場合、ステップ５３に戻って、当該アプリケーションを起動させる。
【手続補正１７】
【補正対象書類名】明細書
【補正対象項目名】０１１２
【補正方法】変更
【補正の内容】
【０１１２】
また、ステップ５６で、一括登録を受け付けた場合、つまり、以上の機能選択画面で、一括登録ボタン４７６が押された場合、当該機能選択画面で示す全てのアプリケーション名のアプリケーションを個別自動起動の対象として、全アプリケーションの識別情報を自動起動アプリケーションリスト４４６（図５）に登録し。当該機能選択画面の表示を維持して、ステップ５６（図１２）に戻る。
【手続補正１８】
【補正対象書類名】明細書
【補正対象項目名】０１１５
【補正方法】変更
【補正の内容】
【０１１５】
なお、登録ボタン及び登録解除ボタンは、アプリケーション動作画面中のプロパティボタン４６５を押すことで、表示される。また、登録ボタンは、当該アプリケーションが自動起動の対象になっていないときに表示され、登録解除ボタンは、当該アプリケーションが既に自動起動の対象になっているときに表示される。
【手続補正１９】
【補正対象書類名】明細書
【補正対象項目名】０１２２
【補正方法】変更
【補正の内容】
【０１２２】
次に、カスタマイズ処理部４２９は、ＲＡＭ４３０に記憶された制御情報８７からサブタイプ８９（図７）を読み出し、このサブタイプ８９を参照してデータ利用制限の有無を判断する（Ｓ８２）。利用制限が無ければ、ステップ８６に進み、利用制限があれば、表示制御部４２３によりディスプレイ４５４にパスワードの受付画面を表示させて、パスワードを受け付ける（Ｓ８３）。カスタマイズ処理部４２９は、パスワードを受け付けると、ＲＡＭ４３０に記憶されている制御情報８７からパスワード９２（図７）を読み出し、このパスワード９２と受け付けたパスワードとが一致しているか否かを判断する（Ｓ８４）。一致していなければ、ＲＡＭ４３０からサービスデータを消去して、受信処理を終了し、一致していれば、このパスワードを用いて、ＲＡＭ４３０に記憶されているサービスデータ９５（図７）に対するセキュリティの解除処理を行ってから（Ｓ８５）、ステップ８６に進む。
【手続補正２０】
【補正対象書類名】明細書
【補正対象項目名】０１２３
【補正方法】変更
【補正の内容】
【０１２３】
ステップ８６で、カスタマイズ処理部４２９は、ステップ５３（図１２）でＲＡＭ４３０に設けた利用予定サービスリストからアプリケーション識別子を読み出す。そして、カスタマイズ処理部４２９は、サービスデータ９５中のアプリケーション識別子９６と、利用予定サービスリスト中のアプリケーション識別子とが一致しているか否かを判断する（Ｓ８７）。
【手続補正２１】
【補正対象書類名】明細書
【補正対象項目名】０１２４
【補正方法】変更
【補正の内容】
【０１２４】
カスタマイズ処理部４２９は、ステップ８７で識別子相互が一致していないと判断すると、ステップ８８に進み、ＲＡＭ４３０からサービスデータを消去して、受信処理を終了する。また、識別子相互が一致していると判断すると、カスタマイズ処理部４２９は、サービスデータ９５中のサービスコンテンツデータ９７（図７）を読み出して、このサービスコンテンツデータ９７を起動中のアプリケーションソフトにインプットする（Ｓ８９）。つまり、カスタマイズ処理部４２９は、起動中のアプリケーションにより、サービスコンテンツデータの処理を開始させる。
【手続補正２２】
【補正対象書類名】明細書
【補正対象項目名】０１７６
【補正方法】変更
【補正の内容】
【０１７６】
「変形例」
以上の実施形態では、アプリケーションの利用優先度に応じたアプリケーション名の優先表示では、利用優先度が最上位のアプリケーション名を表示した後、アプリメニューボタンが操作される毎に、利用優先度が次に高いアプリケーション名を順次、別画面で表示しているが、サービス情報に含まれているアプリケーション名を同一画面で表示しつつも、利用優先度の高いアプリケーション名の視認性が高く、利用優先度の低いアプリケーション識別情報の視認性が低くなるように表示して、利用優先度の低いアプリケーション識別情報に関しては、スクロールで見えるようにしてもよい。